(57)【要約】      （修正有）【課題】特定の高さにフレキシブルかつ頑強にロックすることができる家具を提供する。【解決手段】家具は少なくとも１本の長さ調節可能な脚を備え、脚は中空体として実現される第１の伸縮要素と第１の軸Ａに沿って直線変位可能であるように第１の伸縮要素の内側に取り付けられている第２の伸縮要素とを有する。第２の伸縮要素上に配置されているロック装置１６が、力嵌め接続又は形状嵌め接続により第２の伸縮要素に対して第１の伸縮要素が移動することを防止する第１の位置から、変位が防止されない第２の位置へと、駆動機構２８によって移動可能である第１のピン１７を有する。さらに、ロック装置は、第１の伸縮要素に対して第２の伸縮要素を滑り止めするために第１の伸縮要素の壁の内面に押し付けられる第１の状態から、第１の伸縮要素の壁から或る間隔のところにある第２の状態へと、駆動機構によって移動可能である第２のピン３０を有する。【選択図】図２
2015119956.tif 000002
【特許請求の範囲】
【請求項１】
少なくとも１本の長さ調節可能な脚（１５、１５．１、１５．２）を有する家具、特にテーブルであって、
前記長さ調節可能な脚（１５、１５．１、１５．２）は、
ａ）中空体として実現される第１の伸縮要素（２、２．１、２．２）と、
ｂ）第１の軸（Ａ）に沿って直線変位可能であるように、前記第１の伸縮要素（２、２．１、２．２）の内側に取り付けられる第２の伸縮要素（３、３．１、３．２）と、
ｃ）前記第２の伸縮要素（３、３．１、３．２）に配置されるロック装置（１６）であって、第１のピン（１７）を有し、力嵌め接続又は形状嵌め接続により前記第２の伸縮要素（３、３．１、３．２）に対する前記第１の伸縮要素（２、２．１、２．２）の移動を前記少なくとも１つの第１のピン（１７）が防止する第１の位置から、前記変位が防止されない第２の位置へと、駆動機構（２８）によって前記少なくとも１つの第１のピン（１７）が移動可能である、ロック装置（１６）と、
を備え、
前記ロック装置（１６）は、少なくとも１つの第２のピン（３０）であって、前記第１の伸縮要素（２、２．１、２．２）に対して前記第２の伸縮要素（３、３．１、３．２）を滑り止めするために前記少なくとも１つの第２のピン（３０）が前記第１の伸縮要素（２、２．１、２．２）の壁の内面に押し付けられる第１の状態から、及び前記少なくとも１つの第２のピン（３０）が前記第１の伸縮要素（２、２．１、２．２）の前記壁から或る間隔のところにある第２の状態から、前記駆動機構（２８）によって移動可能である少なくとも１つの第２のピン（３０）を有することを特徴とする、家具。
【請求項２】
前記少なくとも１つの第１のピン（１７）は、前記第１の軸（Ａ）に対して実質的に直角である第２の軸（Ｂ）に沿って移動可能であるように、前記ロック装置（１６）に取り付けられ、ロック位置からアンロック位置への、前記第１の軸に沿った第１の方向（４１）への第１の復帰力に対抗した前記駆動機構（２８）の移動は、前記第１の位置から前記第２の位置への、前記第２の軸（Ｂ）に沿った前記少なくとも１つの第１のピン（１７）の移動へと、第１の摺動区画（１９）によって変換されることを特徴とする、請求項１に記載の家具。
【請求項３】
前記少なくとも１つの第２のピン（１７）は、前記第１の軸（Ａ）に対して実質的に直角であり且つ好ましくは前記第２の軸（Ｂ）に対して直角である第３の軸（Ｃ）に沿って移動可能であるように、前記ロック装置（１６）に取り付けられ、前記ロック位置から前記アンロック位置への、前記少なくとも１つの第２のピン（３０）に作用する第２の復帰力に対抗した前記駆動機構（２８）の移動は、前記第１の状態から前記第２の状態への、前記第３の軸（Ｃ）に沿った前記少なくとも１つの第２のピン（３０）の移動へと、第２の摺動区画（３２）によって変換されることを特徴とする、請求項１又は２に記載の家具。
【請求項４】
前記第２の摺動区画（３２）は、前記第１の軸（Ａ）に沿って直線移動可能である第２のプレート（３１；３１．１、３１．２）内に入れられた第２の溝として実現され、前記第２の溝内で、前記少なくとも１つの第２のピン（３０）に配置される第２のジャーナル（３３）がガイドされることを特徴とする、請求項３に記載の家具。
【請求項５】
前記第２の摺動区画（３２）は、湾曲部として存在し、前記湾曲部は、前記少なくとも１つのピン（３０）が前記第２の状態から前記第１の状態に移る際、次の第２の領域（３６）におけるよりも大きい勾配を第１の領域において最初に有するように展開されることを特徴とする、請求項４に記載の家具。
【請求項６】
前記駆動機構（２８）は、第２の駆動体（３７）を有し、前記第２の駆動体（３７）は、前記駆動機構（２８）が前記ロック位置から前記アンロック位置に移動すると、前記第２のプレート（３１、３１．１、３１．２）の第２のストップ面（３８）に当接することを特徴とする、請求項３〜５のいずれか１項に記載の家具。
【請求項７】
前記ロック装置（１６）は、前記第２の伸縮要素（３、３．１、３．２）の内側に配置され、少なくとも１つの開口が、前記第２の伸縮要素（３、３．１、３．２）の壁に設けられており、前記開口を通って前記少なくとも１つの第２のピン（３０）が移動できることを特徴とする、請求項１〜６のいずれか１項に記載の家具。
【請求項８】
前記駆動機構（２８）は、ボーデンケーブルとして実現されることを特徴とする、請求項１〜７のいずれか１項に記載の家具。
【請求項９】
前記第２の伸縮要素（３、３．１、３．２）の前記外面の壁と相互作用する少なくとも１つの滑り軸受（３９）が、前記少なくとも１つの第１の伸縮要素（２、２．１、２．２）の第１の端の領域内において前記壁の前記内面に配置されることを特徴とする、請求項１〜８のいずれか１項に記載の家具。
【請求項１０】
前記第２の伸縮要素（３、３．１、３．２）は、前記第１の伸縮要素（２、２．１、２．２）の前記壁の前記内面と相互作用する少なくとも１つの転がり軸受（２６．１、２６．２、２６．３、２６．４）を第２の端に有することを特徴とする、請求項１〜９のいずか１項に記載の家具。
【請求項１１】
前記第１の伸縮要素（２、２．１、２．２）の第２の端から前記第１の端に延びる少なくとも１つのアーム（２３．１、２３．１）が、前記第１の伸縮要素（２、２．１、２．２）の内側に配置され、前記少なくとも１つの第２のピン（３０）は、前記第１の状態で力嵌め式又は形状嵌め式に前記アーム（２３．１、２３．２）と相互作用することを特徴とする、請求項１〜１０のいずれか１項に記載の家具。
【発明の詳細な説明】
【技術分野】
【０００１】
本発明は家具に関し、特に、少なくとも１本の上下調節可能な脚を有するテーブルに関する。
【背景技術】
【０００２】
上下調節可能な家具、特に、上下調節可能なワークテーブルが、当該分野において知られている。
【０００３】
例えば、特許文献１が、ワーク面が２本の矩形の伸縮脚に支持される上下調節可能なワークテーブルを記載している。伸縮脚はそれぞれ２つの伸縮要素を有しており、それぞれが互いに対して変位することができる。２本の伸縮脚のそれぞれの領域内に歯車を有する駆動部が、クランクによって駆動される。歯車は、２つの上側伸縮要素内に配置されている歯付きロッドに係合する。伸縮要素は、４つのローラーの配置によって隣り合わせに取り付けられる。伸縮要素は、スライドにより歯車のうちの一方の回転を阻止するロック装置によって互いに対して固定することができる。
【０００４】
特許文献２が、特に、１本のみの脚と、安全ロックと、好ましくは、調節可能なカウンターウェイトとがある、機械的に上下調節可能なテーブルを開示している。これらのテーブルは、内部に力平衡機構が配置されている二部式伸縮脚を有しており、この二部式伸縮脚は、特に、両端が第１の伸縮部又は第２の伸縮部に固定されるワイヤと、力発生器とを有し、二部式伸縮脚の予備張力が調節可能である。伸縮部は、ローラーによって隣り合わせに取り付けられており、その結果、摩擦が低減する。さらに、ねじロッドと、ねじロッドと相互作用するスリーブとを有するロックが存在する。レバーによって駆動ケーブルを介して駆動される対応する機構によって、スリーブをその回転に関してねじロッドに対して固定することができる。テーブルトップに作用する力が大きすぎる場合に上下調節全体を止める安全機構もまた、２つの圧縮ばねによってつくり出される。
【０００５】
特許文献３が、二部式伸縮部として実現される、テーブルトップを支持する上下調節可能な支柱に関している。柱の内側に延びるとともに、少なくとも１つのばね付勢ロックプレートが関節連結式に連結されるアセンブリプレートが、その縁が、下側伸縮部内に上下に並んで配置されている多数の凹部のうちの１つに係合することができるように上側伸縮部に接続される。さらに、ロックプレートを枢動させる手段が、２つの伸縮部を互いに対して変位させることを可能にするために存在する。上記手段は特に、ケーブルであって、ロックプレートに接続され、ロックプレートの上端まで柱内を延び、次に外側まで更に延び、また、その対応する端に駆動部材が設けられているケーブルを有する。
【０００６】
特許文献４が、少なくとも３本の支脚を有する上下調節可能なワークテーブルに関しており、これらの支脚は、互いから離間して配置されており、ワークトップを受ける共通の駆動部によって長さ調節可能であり、各支脚は、外管と、外管に対して変位可能である少なくとも１つの内管とから構成されている。内管は、ガイドリングによって軸方向に変位可能であるように外管内にガイドされる。支脚の長さは、張力部材によってそれぞれ伸張させることができる。張力部材の端は、内管のキャップに締結されている。支脚の全ての張力部材は、張力ユニットにガイドされ、そこで、ガイドローラーを介して、張力部材を受けるヘリカルチャネルを有する回転可能に取り付けられたドラムまで、動作する。ドラムは、ワークトップの下に垂直軸に関して配置することができる。それは、テーブルの高さを調節するのに手動又はモーターによって駆動される。支脚は、駆動部のセルフロックシステムによって或る特定の高さにロックすることができる。
【０００７】
特許文献５が、上側フレームを有するテーブルフレームであって、上側フレームが、少なくとも２つの伸縮ガイドによってフットフレームに対して取付けられているとともに上下に調節可能かつロック可能であり、互いに同期する、手動により作動可能なねじスピンドルによって調節が行われる、テーブルフレームを開示している。チェーン又は歯付きベルトによって駆動歯車に接続される歯車が、ねじスピンドルに配置されている。ロック装置を有する作動機構が、駆動歯車に連結されている。好ましい態様では、駆動歯車に駆動ドラムが接続されており、駆動ドラムの周囲と協働する駆動ジョーは、ケーブルプルを介してばねの力に抗して周方向にプッシュロッドによって作動可能である。ブレーキシューが、ロックのために駆動ドラムの周囲と解除可能に協働する。さらに、上側フレームの重量荷重を減らすために、螺旋ばねが駆動歯車又は駆動ドラムと連結することが有利であり、螺旋ばねの固定点、したがって、その予備張力が、調節可能な固定要素により調節可能である。
【０００８】
従来技術において知られている上下調節可能なテーブルは、ローラーガイドのため、伸縮脚が比較的大きくなるように寸法決めされる必要があるという不利益、及び、伸縮脚を或る特定の長さに固定する既知のロック装置がテーブルトップをロックすることができ、そのため、或る特定の程度までしかフレキシブルかつ安定でないという不利益を有する。
【先行技術文献】
【特許文献】
【０００９】
【特許文献１】米国特許第５，７０６，７３９号（Ergotech Inc.）
【特許文献２】国際公開第２００６／０６６１１６号（Steelcase Development Corp.）
【特許文献３】ルクセンブルグ特許第９０８７６号（Deceuninck N.V）
【特許文献４】独国特許公開第１９７４９４９４号（R. Schmidt）
【特許文献５】独国特許公開第１９８５６８６４号
【発明の概要】
【発明が解決しようとする課題】
【００１０】
本発明の目的は、可能な限り狭小な脚の展開（development）とスムーズな動作の上下調節システムとを有する上下調節可能な脚を有する、導入部に挙げた技術分野に関連する家具であって、或る特定の高さにフレキシブルかつ頑強にロックすることができる家具を創出することである。
【課題を解決するための手段】
【００１１】
上記目的の達成は、請求項１の特徴部によって規定される。本発明によれば、家具は、中空体として実現される第１の伸縮要素と、第１の軸に沿って直線変位可能であるように第１の伸縮要素の内側に取り付けられている第２の伸縮要素とを有する少なくとも１本の長さ調節可能な脚を備える。ロック装置が、第２の伸縮要素上に配置されている。ロック装置は、少なくとも１つの第１のピンであって、該少なくとも１つの第１のピンが、力嵌め接続又は形状嵌め接続により第２の伸縮要素に対して第１の伸縮要素が移動することを防止する第１の位置から、変位が防止されない第２の位置へと、駆動機構によって移動可能である少なくとも１つの第１のピンを有する。さらに、前記ロック装置は、少なくとも１つの第２のピンであって、前記第１の伸縮要素に対して前記第２の伸縮要素を滑り止めする（brace）ために該少なくとも１つの第２のピンが前記第１の伸縮要素の壁の内面に押し付けられる第１の状態から、該少なくとも１つの第２のピンが前記第１の伸縮要素の前記壁から或る間隔のところにある第２の状態へと、前記駆動機構によって移動可能である少なくとも１つの第２のピンを有する。
【００１２】
家具は、実質的に平らなワーク面を有するテーブル、特にワークテーブルであることが好ましい。これに対する一代替として、家具は、椅子、サイドボード、棚、ボディ等とすることができる。原則的に、上下調節可能であるように展開されるあらゆるタイプの家具を、本発明により展開することができる。
【００１３】
好ましい態様では、少なくとも１本の長さ調節可能な脚は、丸い断面を有する。しかしながら、これに対する一代替として、少なくとも１本の長さ調節可能な脚は、正方形、矩形又は任意には多角形の断面を有することもできる。
【００１４】
家具は、２本の長さ調節可能な脚を有することが好ましい。家具は、そのサイズ又は展開形態に応じて、３本以上の長さ調節可能な脚、特に、４本又はそれよりも多くの長さ調節可能な脚を有することもできる。しかしながら、これに対する一代替として、家具は、例えば、家具がスツール、ビストロテーブル等である場合、長さ調節可能な脚を１本だけ有することができる。少なくとも１本の上下調節可能な脚は、更に好ましい態様では、例えば部屋の床等のベース上に上下調節可能な脚をフレキシブルかつ頑強に設置することができるようにするために、アーム又はベースプレートを有する。
【００１５】
第２の伸縮要素は、第１の伸縮要素内に配置され、この第２の伸縮要素に対して第１の軸に沿って移動可能である。第１の伸縮要素及び第２の伸縮要素は、第２の伸縮要素が第１の伸縮要素の内側に受け入れられる領域内でそれに応じて重なる。
【００１６】
第１の軸は、家具が立つベースの表面に対して実質的に垂直であるように配されることが好ましい。少なくとも１本の上下調節可能な脚の２つの伸縮要素の相対移動は、対応する機構によって駆動されることが好ましい。この目的から、家具は、例えば、ハンドクランクを有することが好ましく、このハンドクランクによって、ユーザーが、少なくとも１本の長さ調節可能な脚の２本の伸縮要素を互いに対して第１の軸に沿って双方向に移動させることができる。伸縮要素のうちの少なくとも１つに対するクランクの動きの伝達は、ケーブルプルによって行われることが好ましい。特に、好ましい態様では、機構は、少なくとも１本の長さ調節可能な脚の可能な限りスムーズな動作の長さ調節を可能にするために、例えば、特定の重量力の方向に対抗して作用するばね力等、家具の特定の重量を相殺する仕組みを更に有する。上記ばね力は、特定の重量力の相殺を個々に適応できるようにするために、例えば、クランクによりばねの長さを変えることによって、変化させることができることが好ましい。しかしながら、これに対する一代替として、少なくとも１本の長さ調節可能な脚の特に単純な長さ調節を可能にする電気モーターを設けることも可能である。これに対する更なる一代替として、機構（mechanism）をいっさい設けず、単にユーザーが家具を持ち上げることによって長さ調節を行うことも可能である。
【００１７】
少なくとも１つの第１のピンは、形状嵌め接続に関して第１の伸縮要素の構造に係合することが好ましい。例えば、少なくとも１つの第１のピンは、第１の伸縮要素の内側の相補的な歯を有する対応する表面に係合する歯を有する表面を有する。これに対する一代替として、少なくとも１つの第１のピンは、伸縮要素の互いに対する相対変位を単なる力嵌め接続によって防止することもできる。特に、単なる力嵌め設計の場合、少なくとも１つの第１のピンの表面と、少なくとも１つの第１のピンが係合する、第１の伸縮要素の面とに、互いに対して高度の静摩擦を有する表面が設けられる。
【００１８】
第１の伸縮要素に対する第２の伸縮要素の形状嵌めロック又は力嵌めロックにより、或る特定の長さ調節において、少なくとも１本の長さ調節可能な脚の確実な固定が可能となる。
【００１９】
特に好ましい態様では、ロック装置は、第１のピンが１つだけではなく、特に２つの第１のピンを有し、これらの第１のピンは、例えば第２の伸縮要素の２つの対向する面において、第１の伸縮要素と力嵌め接続又は形状嵌め接続することができる。
【００２０】
第２の位置では、少なくとも１つの第１のピンは、第１の伸縮要素又は第１の伸縮要素の内側の表面から或る間隔のところにあることが好ましく、その結果、第１の伸縮要素に対する力嵌め接続又は形状嵌め接続がない。結果として、第２の伸縮要素が、第１の伸縮要素に対して第１の軸に沿って双方向に自由に移動することができる。
【００２１】
２つの伸縮要素が摺動して互いから離れることを防止するには、第１の伸縮要素に対する第２の伸縮要素の移動を規定するストップを設けることが好ましい。それに応じて、上記規定は、少なくとも１本の長さ調節可能な脚の最長の長さを規定する。同様に、第２の伸縮要素と第１の伸縮要素との最大の重なりを規定するには、更なるストップを設けることができる。それに応じて、上記第２のストップは、長さ調節可能な脚の最短の長さを規定する。
【００２２】
家具の長さ調節可能な脚が１本のみではない場合、駆動機構は、存在する全ての長さ調節可能な脚の少なくとも１つの第１のピン及び少なくとも１つの第２のピンを、駆動機構を介して同時に駆動することができるように開発されることが好ましい。これにより、本発明による家具の高さを調節する際の取扱いが単純化する。
【００２３】
少なくとも１つの第２のピンは、第１の状態では、第１の伸縮要素の壁の内面に押し当たる。少なくとも１つの第２のピンが第１の伸縮要素に押し当たる力の結果、第２の伸縮要素は、第１の伸縮要素に対して滑り止めされる。このことは、第１の伸縮要素と第２の伸縮要素との間の考えられ得る遊びが、これらの２つの伸縮要素の互いに対する滑り止めの結果として防止されることを意味する。その結果、第２の伸縮要素は、第１の伸縮要素に対してフレキシブルかつ頑強に固定される。２つの伸縮要素間の遊びが引き起こす可能性がある、家具の側方移動は、このやり方で確実に防止することができる。
【００２４】
或る伸縮要素が更なる伸縮要素の内側でローラーによって完全にガイドされる長さ調節可能な脚に比べ、本発明による解決策は、まさにフレキシブルかつ頑強である固定を提供するが、ローラーの代わりに省スペースの滑り軸受を用いることができるため、スペース要件が明らかに小さい。これにより、狭小であるがよりフレキシブルかつ頑強に移動する長さ調節可能な脚を有する家具の創出が可能になる。
【００２５】
少なくとも１つの第１のピンは、第１の軸に対して実質的に直角である第２の軸に沿って移動可能であるようにロック装置に取り付けられることが好ましい。この場合、ロック位置からアンロック位置への、第１の軸に沿った、第１の方向への、第１の復帰力に対抗した、駆動機構の移動は、第１の摺動区画によって、第１の位置から第２の位置への、第２の軸に沿った、少なくとも１つの第１のピンの移動に変換される。
【００２６】
摺動区画を用いることにより、第１の軸、すなわち、２つの伸縮要素の相対移動が互いに対して行われる軸に沿った、駆動機構の移動は、特に単純かつ確実な方法で、第２の軸に対して実質的に直角である第２の軸に沿った移動に変換することができる。
【００２７】
第２の軸が第１の軸に対して実質的に直角に配されることにより、少なくとも１つの第１のピンと第１の伸縮要素との間に確実な形状嵌め接続又は力嵌め接続をつくり出すことができる。
【００２８】
上記用途の構想内では、「実質的に直角である」とは、最大偏差がプラス／マイナス５度である、９０度の内角を意味する。
【００２９】
ロック装置における少なくとも１つの第１のピンの軸受配置は、リニアガイドへの、特にロック装置の溝又は凹部内への少なくとも１つの第１のピンの配置によって行われることが好ましい。
【００３０】
例えば螺旋ばねによってつくり出される第１の復帰力をもたらす結果、少なくとも１つの第１のピンが自動的に押されて第１の位置にくる。その結果、駆動機構は、第２の方向への駆動機構の移動、したがって、第２の位置から第１の位置への少なくとも１つの第１のピンの移動が復帰力によって行われるよう、第１の方向へのみ引っ張り力をかけるよう展開することができる。さらに、復帰力の結果、少なくとも１つの第１のピンは、第１の伸縮要素に対する確実な形状嵌め接続又は力嵌め接続を確実にするために十分に高い力によって作用することができる。
【００３１】
駆動機構は、ロック位置及びアンロック位置を有し、アンロック位置では、少なくとも１つの第１のピンが第２の位置に位置するとともに少なくとも１つの第２のピンが第２の状態にあるのに対し、ロック位置では、それらのピンは第１の位置に位置するか又は第１の状態にある。それに応じて、駆動機構がアンロック位置に位置する場合、少なくとも１本の長さ調節可能な脚の長さを変更することができる、すなわち、２つの伸縮要素が互いに対して移動する。しかしながら、駆動機構がロック状態にある場合、２つの伸縮要素がともにロックされ、長さ調節可能な脚の長さは変更することができない。
【００３２】
駆動機構は、ロック位置からアンロック位置に移動することができるようにレバーによって駆動されることが好ましい。駆動機構は、例えばワイヤ、チェーン等の伝達要素を有することが好ましく、この伝達要素によって、少なくとも第１の摺動区画に力を伝達することができる。
【００３３】
好ましい態様では、少なくとも１つの第２のピンは、第１の軸に対して実質的に直角にある、好ましくは第２の軸に対して直角にある第３の軸に沿って移動可能であるように、ロック装置に取り付けられる。ロック位置からアンロック位置への、第２のピンに作用する第２の復帰力に対抗した、駆動機構の移動は、第２の摺動区画によって、第１の状態から第２の状態への、第３の軸に沿った、少なくとも１つの第２のピンの移動に変換される。
【００３４】
第１の軸に対して実質的に直角にある第３の軸に沿って少なくとも１つの第３のピンが移動する結果、２つの伸縮要素の互いに対する考えられ得る最も高い程度の滑り止めを達成することが可能である。第３の軸を好ましくは第２の軸に対して実質的に直角に配向する結果、第３の軸に沿って少なくとも１つの第２のピンが移動し、少なくとも１つの第２のピンが少なくとも１つの第１のピンと同じ第２の軸に沿って移動する場合に比べ、フレキシビリティ及び頑強度が向上した移動を達成することが可能である。少なくとも１つの第１のピンの形状嵌め接続又は力嵌め接続により、第２の軸に沿った或る特定のフレキシビリティ及び頑強度の移動が既に確実となっているため、滑り止めによって第３の軸に沿って、第２の伸縮要素と第１の伸縮要素との間によりフレキシブルかつ頑強なロックを更に達成することもできる。総じて、あらゆる方向における２つの伸縮要素の互いに対してのよりフレキシブルかつ頑強なロックをこのようにして実現することができる。
【００３５】
ロック装置における少なくとも１つの第２のピンの軸受配置は、リニアガイドへの、特にロック装置の溝又は凹部内への少なくとも１つの第２のピンの配置によって行われることが好ましい。
【００３６】
好ましい態様では、少なくとも１つの第２のピンは、少なくとも１つの第１のピンと同じ駆動機構によって移動する。結果として、２つの伸縮要素の互いに対するロック及び滑り止めが、可能な限り単純な方法で可能になる。
【００３７】
第２の復帰力は、少なくとも１つの第２のピンと直接協働することができるが、第２の摺動区画を介して、第２の直線変位可能なプレートによって少なくとも１つの第２のピンに間接的に作用することが好ましい。好ましい態様では、第２の復帰力は、ばね、特にヘリカルばねとして実現される。これに対する一代替として、第２の復帰力は、螺旋ばね又は弾性要素として実現することもできる。
【００３８】
第１の軸に沿っての駆動機構の移動を第３の軸に沿っての少なくとも１つの第２のピンの移動に特に単純に変換することは、第２の摺動区画によって可能になる。
【００３９】
家具は、単一の第２のピンを有することが好ましい。特に、丸い断面を有する長さ調節可能な脚を有する家具の場合、これにより、伸縮要素を特にフレキシブルかつ頑強な方法で滑り止めすることが可能になる。しかしながら、これに対する一代替として、幾つかの第２のピンを滑り止めに用いることもできる。
【００４０】
特に好ましい態様では、第１の摺動区画は、第１の軸に沿って移動可能である第１のプレートとして実現され、この第１のプレート上に第１の溝が実現される。第１のピンに配置されている第１の軸受は、上記第１の溝内でガイドされる。
【００４１】
第２の摺動区画は、第１の軸に沿って直線移動可能である第２のプレートに入れられた第２の溝として実現されることが好ましい。少なくとも１つの第２のピンに配置されている第２の軸受は、上記第２の溝内でガイドされる。
【００４２】
溝と軸受との組合せにより、摺動区画（複数可）の特に単純な展開が可能になる。
【００４３】
好ましい態様では、第２の摺動区画は湾曲部として実現され、少なくとも１つの第２のピンが第２の状態から第１の状態に移る際、湾曲部は、次の第２の領域におけるよりも勾配が大きい第１の領域を最初に含むように展開される。
【００４４】
上記展開の結果、少なくとも１つの第２のピンは初め、第１の伸縮要素の壁の内面と接触するまで、大きい方の勾配によって第３の軸に沿って比較的迅速に移動することができる。後に続く、湾曲部のより小さい勾配によって、少なくとも１つの第２のピンは次に、２つの伸縮要素の滑り止めを可能にするために、より低い移動速度で、したがって、より大きい力で壁の内面に更に押し付けられる。同時に、異なる勾配を有する２つの領域を有する湾曲部の展開形態によって、第２の溝における第２のジャーナルのセルフロックを達成することができる。
【００４５】
「勾配」という用語は、本願の意味において、第２の摺動区画の湾曲部が第１の軸に対して呈する角度として理解されるべきである。上記角度が大きいほど、湾曲部の勾配が大きい。
【００４６】
好ましい態様では、駆動機構は、駆動機構がロック位置からアンロック位置に移動すると第２のプレートのストップ面に当接する駆動体を有する。
【００４７】
駆動機構が、第１の軸に沿って第１の方向に、ロック状態からアンロック状態に移ると、駆動体は、第１のプレートのストップ面に当接する。その結果、第２の摺動区画は、駆動機構によって第１の方向に引かれ、その結果、第１の状態から第２の状態へと、第２のジャーナルの移動、したがって、少なくとも１つの第２のピンの移動が行われる。
【００４８】
駆動機構が、第１の方向と逆の第２の方向に、アンロック位置からロック位置に移動する場合、駆動体がストップ面から解放され、その結果、第２の方向に、第２のプレートよりも遠くに駆動機構を移動させることができる。その結果、少なくとも１つの第１のピンの移動を少なくとも部分的に解放（uncouple）することが可能であり、少なくとも第１のピンはまた、少なくとも１つの第２のピンの第２の状態から第１の状態への移動によって、第２の位置から第１の位置へ上記同じ駆動機構によって移動することが好ましい。
【００４９】
第２の復帰力が少なくとも１つの第２のピンに作用する際、２つの伸縮要素をともに滑り止めすることを可能にするために、駆動機構の駆動体と接触することなく十分に高い力で作用を受ける。
【００５０】
少なくとも１つの第１のピンはまた、ストップ面によって駆動機構に連結されることが好ましい。
【００５１】
ロック装置は、第２の伸縮要素の内側に配置されることが好ましく、第２の伸縮要素の壁には少なくとも１つの開口が設けられており、この開口を通って少なくとも１つの第２のピンが移動することができる。
【００５２】
ロック装置を第２の伸縮要素の内側に配置する結果、少なくとも１本の長さ調節可能な脚の特にコンパクトな設計を達成することができる。さらに、２つの伸縮要素は、結果として特に良好にともに滑り止めすることが可能である。
【００５３】
上記少なくとも１つの第１のピンが第２の伸縮要素の壁を通って第１の伸縮要素と力嵌め接続又は形状嵌め接続することができるように、少なくとも１つの第１のピンの壁に開口を設けることができることも好ましい。
【００５４】
好ましい態様では、駆動機構はボーデンケーブルとして実現される。その結果、駆動機構は、可能な限り単純な方法で展開することができる。特に、例えば、ボーデンケーブルを駆動するように設計されているレバーを、少なくとも１本の脚の外側、特にテーブルトップの下に配置することができるようにするために、ボーデンケーブルは、ローラー等によって向きを変えることもできる。
【００５５】
第２の伸縮要素の外面の壁と相互作用する少なくとも１つの滑り軸受は、壁の内面側の、第１の伸縮要素の第１の端の領域内に配置されることが好ましい。
【００５６】
滑り軸受の上記配置の結果、少なくとも１本の長さ調節可能な脚は、特に狭小に実現することができ、これにより、全体的に反応が良い美的効果が家具に与えられる。
【００５７】
特に好ましい態様では、第１の伸縮要素の第１の端はその上端である。この場合、第１の伸縮要素は、下部を提供し、第２の伸縮要素は、少なくとも１本の長さ調節可能な脚の上部を提供する。
【００５８】
好ましい態様では、第２の伸縮要素は、第１の伸縮要素の壁の内面と相互作用する少なくとも１つの転がり軸受を第２の端に有する。
【００５９】
特に好ましい態様では、第２の伸縮要素の対向する両側に位置する少なくとも２つのローラーが、転がり軸受として用いられる。これらのローラーは、その外面が第１の伸縮要素の内壁と少なくとも１箇所で触れるように配置される。したがって、少なくとも２つのローラーは壁の内面に沿って転動する。
【００６０】
更に好ましい態様では、転がり軸受はロック装置に配置される。
【００６１】
第２の伸縮要素は、第１の伸縮要素内で、第２の伸縮要素の第２の端が第１の軸に沿って第１の方向に第１の伸縮要素の第１の端の下に位置するように、配置されることが好ましい。その結果、第２の伸縮要素は、その第２の端が、転がり軸受によって直線変位可能であるように第１の伸縮要素の内側に、かつ、転がり軸受の上方において第１の方向に位置する領域内に滑り軸受によって取り付けられる。
【００６２】
第１の伸縮要素の第２の端から第１の端に延びる少なくとも１つのアームが、第１の伸縮要素の内側に配置される。少なくとも１つの第１のピンは、第１の位置において、力嵌め式又は形状嵌め式にアームと相互作用する。
【００６３】
アームを第１の伸縮要素の内側に配置する結果、少なくとも１つの第１のピンが力嵌め式又は形状嵌め式に相互作用する表面が、第１の伸縮要素の壁の内面から隔たれて存在することができる。その結果、第１の伸縮要素の内側での第２の伸縮要素の線形的な変位の妨げが上記表面によって防止される。
【００６４】
特に好ましい態様では、アームは、第２の伸縮要素の内部に少なくとも部分的に突出する。その結果、アームと相互作用するガイドを、第１の伸縮要素の内側での第２の伸縮要素の特に良好なリニアガイドを可能にするために第２の伸縮要素の内側に配置することができる。ガイドは、アームに沿って押すことが可能であるように取り付けられる、特に少なくとも１つのガイド溝又は少なくとも１つの半リングの形態で実現される。
【００６５】
本発明の更に有利な実施形態及び特徴の組合せは、以下の詳細な説明から、また特許請求の範囲の全体からもたらされる。
【００６６】
例示的な実施形態を説明するために用いられる図面は以下の通りである。原則的に、図における同一の部品には同一の参照符号が与えられている。
【図面の簡単な説明】
【００６７】
【図１】２本の長さ調節可能な脚を有する、本発明によるテーブルを示す。
【図２】ロック装置の一実施形態の立体図を示す。
【図３】９０度回転させた、図２のロック装置の実施形態を示す。
【図４】ロック装置の一実施形態の断面図を示す。
【図５】９０度回転させた、図４のロック装置の実施形態の断面図を示す。
【発明を実施するための形態】
【００６８】
図１は、本発明による家具を一実施形態で２本の長さ調節可能な脚１５．１、１５．２を有するテーブル１として示す。２本の長さ調節可能な脚１５．１、１５．２はそれぞれ、第１の伸縮要素２．１、２．２と、第１の伸縮要素２．１、２．２の内側に受け入れられるとともに直線変位可能であるように取り付けられている第２の伸縮要素３.１、３．２とを有する。アーム４．１、４．２が、第１の伸縮要素２．１、２．２の底端に配置されている。アーム４．１、４．２により、テーブル１が立つのを支えるベースに対してテーブル２の安定性が増す。２本の長さ調節可能な脚１５．１、１５．２は、第１の伸縮要素２．１、２．２の上側領域において横架部材５によってともに接続される。
【００６９】
上にテーブルトップ（図示せず）を取り付けることができる２つの部材６．１、６．２が、第２の伸縮要素３．１、３．２の上端の領域に配置されている。第２の伸縮要素３．１、３．２を第１の伸縮要素２．１、２．２に対して直線的に変位させることができる調節機構が、上記部材６．１、６．２間であり且つテーブルトップの下に配置されている。上記調節機構は、周囲に２つのワイヤ７．１、７．２を巻き付けることができる駆動プーリ８を有する。ワイヤ７．１、７．２は、対応するローラーによって偏向され、長さ調節可能な脚１５．１、１５．２にガイドされる。ワイヤ７．１、７．２を駆動プーリ８に巻き付ける結果、図示の調節機構を用いてテーブルトップをより高く位置決めすることができる。これに応じて、ワイヤ７．１、７．２を解くことにより、テーブルトップが低くなる。
【００７０】
テーブルトップの特定の重量は、カウンターウェイトスプリング９によって相殺される。これにより、比較的スムーズな動作方法でテーブルの高さを調節することが可能となる。カウンターウェイトスプリングは、カウンターウェイトスプリング９を伸び縮みさせることによって、カウンターウェイトスプリング９がかける力を変えることができる調節機構を有することが好ましい。上記調節機構はハンドクランク１１を有しており、特定の重量を相殺するカウンターウェイトスプリング９の種々の予備張力を可能にするために、このハンドクランク１１により、カウンターウェイトスプリング９の長さをスピンドル１０によって調節することができる。駆動プーリ８はワイヤ７．１、７．２とともに、カウンターウェイトスプリング９に固定される。
【００７１】
図２は、第１の伸縮要素２のアームの２つのアームピン２３．１、２３．２と相互作用するロック装置１６の立体図を示す。２つのアームピン２３．１、２３．３はその上端が、接続要素２４によってともに接続されている。調節機構のワイヤ７が、接続要素２４に接続されている。ワイヤ７は初めに、ガイドローラー２７まで、アームピン２３．１、２３．３に対して平行にガイドされる。ワイヤ７は、上記ガイドローラー２７によって約１８０度回転し、次に、上記第２の伸縮要素（図示せず）を通って調節機構まで、第２の伸縮要素の壁に対して平行にガイドされる。
【００７２】
第１の伸縮要素２及び第２の伸縮要素３は、この図では描写上の理由から示されていない。ロック装置１６は、第２の伸縮要素３の第２の下端に配置されている。ロック装置１６は、２つのガイドクランプ２５．１、２５．２によって、２つのアームピン２３．１、２３．２に沿ってガイドされる。さらに、４つのローラーが、ロック装置１６の下端に配置されており、４つのローラーのうちの２つのローラー２６．１、２６．２のみをこの図に見ることができる。ロック装置１６は、ローラー２６．１、２６．２によって第２の伸縮要素３の内側で直線変位可能であるようにガイドされる。
【００７３】
第１のピン１７は、ロック装置１６において第１の位置と第２の位置との間で直線変位可能であるように配置される。第１の位置から図示の第２の位置への第１のピン１７の移動は、駆動機構２８が移動することによって可能となり、この移動は、ボーデンケーブルとして示されている実施形態では、第１の軸Ａに沿った第１の方向３３に実現される。駆動機構２８は、方向Ａに直線変位可能であるように取り付けられている第１のプレート１８に接続される。第１のプレート１８は、溝として実現される第１の摺動区画１９を有する。第１のピン１７に接続されている第１のジャーナル２０が、摺動区画１９内をガイドされる。駆動機構２８によって駆動される第１のプレート１８の移動は、上記第１の摺動区画１９によって、第１の軸Ａに対して直角である第２の軸Ｂに沿った、第１のピン１７の直線移動に変換される。第１の摺動区画１９は、図示の実施形態では湾曲部として実現される。
【００７４】
第１の方向３３とは逆の第２の方向３４において、第１の方向３３に対抗する復帰力を第１のプレート１８上にかける第１の螺旋ばね２１が、第１のプレート１８と協働する。上記復帰力により、第１のピン１７は（第１の方向３３において駆動機構２８によって第１のプレート１８にかけられる力がない場合に限りにおいて）、第１の摺動区画１９による、第１の位置へと押圧する力によって駆動する。上記第１の位置では、第１のピンは、表面２２が第１のアームピン２３．１の形状嵌め要素と係合する。第１のアームピン２３．１は、第１のピン１７と第１のアームピン２３．１との間に形状嵌め接続がもたらされるように、相補的な形状嵌め要素（図示せず）を有する。第１の軸Ａに沿った、第１のピン１７の動き、したがって、ロック装置１６全体の動きが、上記形状嵌め接続により防止される。
【００７５】
第２のピン３０が、第３の軸Ｃに沿って直線変位可能であるようにロック装置１６に取り付けられている。第１の軸Ａに沿った、第２のプレート３１の直線移動が、第２のジャーナル３３が第２のピン３０に連結される第２の摺動区画３２によって、第３の軸Ｃに沿った、第２のピン３０の直線移動に変換される。図では、第２のピン３０は、第２のピン３０が第１の伸縮要素２（図示せず）の内壁から或る間隔のところにある第２の状態に位置している。第２のピン３０は、第３の軸Ｃに沿った移動により、第２のピン３０が第１の伸縮要素２の内壁に押し付けられる第２の状態に移ることができる。その結果、２つの伸縮要素２、３間に滑り止めが達成される。
【００７６】
第２の復帰力が、第２のプレート３１と協働する第２の螺旋ばね３４によって第２のプレート３１にかけられる。上記第２の復帰力により、第２のピン３０は（第１の方向３３において駆動機構２８によって力がかけられない限りにおいて）、第２の位置に押圧される。加えて、上記第２の復帰力は、第１の伸縮要素の内壁上への第２のピン３０の押圧力が第２の螺旋ばね３４によって増強するにつれて、２つの伸縮要素２、３の滑り止めを増強する。
【００７７】
第２の摺動区画３２は、溝として実現される。溝は、第１の領域３５における勾配が第２の領域３６におけるよりも大きい湾曲部として展開される。勾配は、各場合、溝の側縁と第１の軸Ａとに囲まれる角度として理解されるべきである。この場合、湾曲部は、第１の領域３５と第２の領域３６との間の遷移が、第２のピン３０が第１の伸縮要素２の内壁と接触する時点で第２のジャーナル３３が位置付けされる地点にあるように実現される。第２の領域３６において後に続く勾配がより小さいことにより、第２のピン３０の移動が、より低速で、したがって、より大きな力で行われ、その結果、２つの伸縮要素２、３の特に効果的な滑り止めが第２のピン３０によって可能となる。さらに、第２の摺動区画３２のこのタイプの展開形態は、２つの伸縮要素２、３が第２のピン３０によって互いに対して滑り止めされ次第行われるジャーナル３３のセルフロックも含む。
【００７８】
図３は、軸Ａ回りに９０度回転させた、図２に示されているロック装置１６の実施形態を示す。さらに、ロック装置１６の対応するカバーが上記図に示されている。
【００７９】
直線移動可能な第２のプレート３１に対する駆動機構２８の固定を上記図に見ることができる。第２のプレート３１は、第２のプレート３１のレストに対して９０度角度付けられている領域であって、ボーデンケーブルとして実現される駆動機構２８が通る開口３９を有する領域を有する。角度付き領域の底部側は第２のストップ面３８を形成しており、駆動機構２８が第１の方向３３に移動すると、駆動機構２８に配置されている第２の駆動体３７が当接する。第２の駆動体２７が第２のプレート３１の角度付き領域に固定接続されていないことにより、駆動機構２８は、第２の方向３４に自由に移動することができる。これにより、第１のプレート１８は、第２の方向に、第２のプレート３１よりも遠くに移動することができる。第１のプレート１８は、第１の駆動体４１によって駆動機構２８に同様にして更に接続されており、駆動機構２８が第１の方向３３に移動すると、第１のプレート１８の第１のストップ面４２に当接する。その結果、プレート１８、３１は双方とも、駆動機構２８が解除された状態で、第１の螺旋ばね２１又は第２の螺旋ばね３４によって第１の位置へ自由に移動される、すなわち第１の状態へ移動される。
【００８０】
図４は、第１の軸Ａに沿った、本発明による長さ調節可能な脚１５の断面を示す。断面は、第２の軸Ｂの方向にある。図２及び図３とは対照的に、第１のピン１７は、第１の位置に位置する、すなわち、第１のアームピン２３．１の表面に形状嵌め式に係合する。形状嵌め要素を有し対応して展開された面２２が、第１のピン１７の先端に位置する。上記図に見てとれることができるように、図示の実施形態における上記面２２は、第１のピン１７に挿入されるプラグに関して実現される。
【００８１】
第２の伸縮要素３が第１の伸縮要素に受け入れられることによりもたらされる、第２の伸縮要素３と第１の伸縮要素２との重なりが、上記図に容易に見てとれる。図示の構成では、２つの伸縮要素２、３間の最小限の重なりを有する状態、すなわち、長さ調節可能な脚１５が最長の長さを有する状態を示す。第２の伸縮要素３を第１の伸縮要素２内に直線変位可能であるように取り付ける、全部で４つのローラーのうちの３つのローラー２６．１、２６．２、２６．３を、ここでもまた第２の伸縮要素の第２の底端に見てとることができる。
【００８２】
図５は、第１の軸Ａ回りに９０度回転させた、図４による長さ調節可能な脚１５の更なる断面図を示す。図４とは対照的に、第２のピン３０の配置は、上記描写に見てとることが容易である。第２のピン３０は、第３の軸Ｃに沿っての第２のピン３０の移動を可能にするリニアガイド４０の内側に配置されている。第２のプレート３１は３つの要素から構成されており、そのうちの２つの要素３１．１、３１．２を図に見てとることができる。上部要素３１．２は、２つの下部要素３１．１から組み立てられたホルダーに挿入される。第２のジャーナル３２がガイドされる第２のリニアガイド３２もまた、下部要素３１．１に挿入される。
【００８３】
第１の伸縮要素２の内壁に取り付けられている滑り軸受３９もまた、２つのローラー２６．２、２６．４のみを図で見ることができるローラーとともに、上記図に見てとることができる。第２の伸縮要素３は、ローラー２６．２、２６．４及び滑り軸受３９によって第１の伸縮要素２の内側で直線変位可能であるように取り付けられる。
【符号の説明】
【００８４】
１  テーブル
２、２．１、２．２  第１の伸縮要素
３、３．１、３．２  第２の伸縮要素
４  アーム
５  横架部材
６．１、６．２  部材
７．１、７．２  ワイヤ
８  駆動プーリ
９  カウンターウェイトスプリング
１０  スピンドル
１１  クランク
１５、１５．１、１５．２  長さ調節可能な脚
１６  ロック装置
１７  第１のピン
１８  第１のプレート
１９  第１の摺動区画
２０  第１のピン
２１  第１の螺旋ばね
２２  形状嵌め要素を有する面
２３．１、２３．２  アームピン
２４  接続要素
２５．１、２５．２  ガイドクランプ
２６．１、２６．２  ローラー
２７  ガイドローラー
２８  駆動機構
３０  第２のピン
３１  第２のプレート
３２  第２の摺動区画
３３  第２のジャーナル
３４  第２の螺旋ばね
３５  第１の領域
３６  第２の領域
３７  第２の駆動体
３８  第２のストップ面
３９  滑り軸受
４１  第１の駆動体
４２  第１のストップ面
【図１】
2015119956.tif 000003
【図２】
2015119956.tif 000004
【図３】
2015119956.tif 000005
【図４】
2015119956.tif 000006
【図５】
2015119956.tif 000007
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
少なくとも１本の長さ調節可能な脚（１５、１５．１、１５．２）を有する家具であって、
前記長さ調節可能な脚（１５、１５．１、１５．２）は、
ａ）中空体である第１の伸縮要素（２、２．１、２．２）と、
ｂ）第１の軸（Ａ）に沿って直線変位可能であるように、前記第１の伸縮要素（２、２．１、２．２）の内側に取り付けられる第２の伸縮要素（３、３．１、３．２）と、
ｃ）前記第２の伸縮要素（３、３．１、３．２）に配置されるロック装置（１６）であって、少なくとも１つの第１のピン（１７）を有し、力嵌め接続又は形状嵌め接続により前記第２の伸縮要素（３、３．１、３．２）に対する前記第１の伸縮要素（２、２．１、２．２）の移動を前記少なくとも１つの第１のピン（１７）が防止する第１の位置から、前記変位が防止されない第２の位置へと、駆動機構（２８）によって前記少なくとも１つの第１のピン（１７）が移動可能である、ロック装置（１６）と、
を備え、
前記ロック装置（１６）は、少なくとも１つの第２のピン（３０）であって、前記第１の伸縮要素（２、２．１、２．２）に対して前記第２の伸縮要素（３、３．１、３．２）を滑り止めするために前記少なくとも１つの第２のピン（３０）が前記第１の伸縮要素（２、２．１、２．２）の壁の内面に押し付けられる第１の状態から、前記少なくとも１つの第２のピン（３０）が前記第１の伸縮要素（２、２．１、２．２）の前記壁から或る間隔のところにある第２の状態へと、前記駆動機構（２８）によって移動可能である少なくとも１つの第２のピン（３０）を有することを特徴とする、家具。
【請求項２】
前記少なくとも１つの第１のピン（１７）は、前記第１の軸（Ａ）に対して直角である第２の軸（Ｂ）に沿って移動可能であるように、前記ロック装置（１６）に取り付けられ、ロック位置からアンロック位置への、前記第１の軸に沿った第１の方向（４１）への第１の復帰力に対抗した前記駆動機構（２８）の移動は、前記第１の位置から前記第２の位置への、前記第２の軸（Ｂ）に沿った前記少なくとも１つの第１のピン（１７）の移動へと、第１の摺動区画（１９）によって変換されることを特徴とする、請求項１に記載の家具。
【請求項３】
前記少なくとも１つの第２のピン（１７）は、前記第１の軸（Ａ）に対して直角であり且つ前記第２の軸（Ｂ）に対して直角である第３の軸（Ｃ）に沿って移動可能であるように、前記ロック装置（１６）に取り付けられ、前記ロック位置から前記アンロック位置への、前記少なくとも１つの第２のピン（３０）に作用する第２の復帰力に対抗した前記駆動機構（２８）の移動は、前記第１の状態から前記第２の状態への、前記第３の軸（Ｃ）に沿った前記少なくとも１つの第２のピン（３０）の移動へと、第２の摺動区画（３２）によって変換されることを特徴とする、請求項１又は２に記載の家具。
【請求項４】
前記第２の摺動区画（３２）は、前記第１の軸（Ａ）に沿って直線移動可能である第２のプレート（３１；３１．１、３１．２）内に入れられた第２の溝であり、前記第２の溝内で、前記少なくとも１つの第２のピン（３０）に配置される第２のジャーナル（３３）がガイドされることを特徴とする、請求項３に記載の家具。
【請求項５】
前記第２の摺動区画（３２）は、第２の領域（３６）におけるよりも大きい勾配を第１の領域（３５）において有する湾曲部として存在し、前記少なくとも１つのピン（３０）が、前記第１の領域（３５）における前記第２の状態から、前記第２の領域（３６）における前記第１の状態に移ることを特徴とする、請求項４に記載の家具。
【請求項６】
前記駆動機構（２８）は、第２の駆動体（３７）を有し、前記第２の駆動体（３７）は、前記駆動機構（２８）が前記ロック位置から前記アンロック位置に移動すると、前記第２のプレート（３１、３１．１、３１．２）の第２のストップ面（３８）に当接することを特徴とする、請求項３〜５のいずれか１項に記載の家具。
【請求項７】
前記ロック装置（１６）は、前記第２の伸縮要素（３、３．１、３．２）の内側に配置され、少なくとも１つの開口が、前記第２の伸縮要素（３、３．１、３．２）の壁に設けられており、前記開口を通って前記少なくとも１つの第２のピン（３０）が移動できることを特徴とする、請求項１〜６のいずれか１項に記載の家具。
【請求項８】
前記駆動機構（２８）は、ボーデンケーブルであることを特徴とする、請求項１〜７のいずれか１項に記載の家具。
【請求項９】
前記第２の伸縮要素（３、３．１、３．２）の外面の壁と相互作用する少なくとも１つの滑り軸受（３９）が、前記少なくとも１つの第１の伸縮要素（２、２．１、２．２）の第１の端の領域内において前記壁の前記内面に配置されることを特徴とする、請求項１〜８のいずれか１項に記載の家具。
【請求項１０】
前記第２の伸縮要素（３、３．１、３．２）は、前記第１の伸縮要素（２、２．１、２．２）の前記壁の前記内面と相互作用する少なくとも１つの転がり軸受（２６．１、２６．２、２６．３、２６．４）を第２の端に有することを特徴とする、請求項１〜９のいずか１項に記載の家具。
【請求項１１】
前記第１の伸縮要素（２、２．１、２．２）の第２の端から第１の端に延びる少なくとも１つのアーム（２３．１、２３．２）が、前記第１の伸縮要素（２、２．１、２．２）の内側に配置され、前記少なくとも１つの第２のピン（３０）は、前記第１の状態で力嵌め式又は形状嵌め式に前記アーム（２３．１、２３．２）と相互作用することを特徴とする、請求項１〜１０のいずれか１項に記載の家具。
【外国語明細書】
2015119956000001.pdf